(57)【要約】      （修正有）【課題】黒が多い原稿と白が多い原稿が混ざっている原稿にページ印字機能を使用した場合においても、ページ印字が見ずらい原稿が生じずに済ませることができる印刷装置を提供する。【解決手段】ページ単位の画像データを作成する画像生成部１０２と、画像生成部で作成したページ単位の画像データの各ページに対応するページ番号の縁取り文字画像データを生成するページ番号生成部１０４と、画像生成部からのページ単位の画像データ１０３と前記ページ番号生成部からのページ番号画像データ１０５を合成して１ページ分の合成画像データを生成する画像合成部１０６と、画像生成部から生成した合成画像データ１０７を印刷する印刷部１０８を備える。【選択図】図１
2007074542.tif 000002
【特許請求の範囲】
【請求項１】
ページ単位の画像データを作成する画像生成部と、前記画像生成部で作成した前記頁単位の画像データの各ページに対応するページ番号の縁取り文字画像データを生成するページ番号生成部と、前記画像生成部からの前記ページ単位の画像データと前記ページ番号生成部からの前記ページ番号画像データを合成して１ページ分の合成画像データを生成する画像合成部と、前記画像生成部から生成した前記合成画像データを印刷する印刷部を備えることを特徴とする印刷装置。
【請求項２】
ページ単位の画像データを作成する画像生成部と、前記画像生成部で作成した前記頁単位の画像データの各ページに対応するページ番号に下地を付加した画像データを生成するページ番号生成部と、前記画像生成部からの前記ページ単位の画像データと前記ページ番号生成部からの前記ページ番号画像データを合成して１ページ分の合成画像データを生成する画像合成部と、前記画像生成部から生成した前記合成画像データを印刷する印刷部を備えることを特徴とする印刷装置。
【請求項３】
ページ単位の画像データを作成する画像生成部と、前記画像データの指定領域に対してビデオカウントの計測を行う画像計測部と、前記画像計測部により計測されたビデオカウントが所定値を超えた場合、白文字のページ番号画像を選択し、所定値内の場合、黒文字のページ番号画像を選択してページ番号画像を生成するページ番号生成部と、前記画像生成部からの前記ページ単位の画像データと前記ページ番号生成部からの前記ページ番号画像データを合成して１ページ分の合成画像データを生成する画像合成部と、前記画像生成部から生成した前記合成画像データを印刷する印刷部を備えることを特徴とする印刷装置。
【発明の詳細な説明】
【技術分野】
【０００１】
本発明は、ページ番号印字機能を備えた印刷装置に関する。
【背景技術】
【０００２】
印刷データを１ページ毎にまとめて印刷用紙に印刷する従来の印刷装置には、印刷用紙の各ページ毎にそのページに対応するページ番号と印刷データを合成して１ページ分のビットマップデータを作成することにより、上位装置からページ番号に相当する印刷データを含む印刷データを受信しなくても、印刷用紙の各ページにページ番号を印刷することが可能な印刷装置がある。
【０００３】
特開平６−７１９８１では、印刷用紙の各ページ毎にそのページに対応するページ番号を生成するページ番号生成部を設け、ページ描画部において上位装置から送られてきた印刷データとページ番号生成部で生成したページ番号とを合成して１ページ分のビットマップデータを作成している。
【特許文献１】特開平６−７１９８１号公報
【発明の開示】
【発明が解決しようとする課題】
【０００４】
しかしながら、従来のページ番号印字機能は、黒字もしくは白字の片方しか選択できなかった。黒が多い原稿と白が多い原稿が混ざっている原稿にページ番号印字機能を使用すると、ページ番号が見ずらい原稿が生じてしまう。
【０００５】
本発明は、上記問題を改善することを目的とする。
【課題を解決するための手段】
【０００６】
上記目的を達成するために本発明の印刷装置は、以下のような構成を備える。即ち、ページ単位の画像データを作成する画像生成部と、前記画像生成部で作成した前記頁単位の画像データの各ページに対応するページ番号の縁取り文字画像データを生成するページ番号生成部と、前記画像生成部からの前記ページ単位の画像データと前記ページ番号生成部からの前記ページ番号画像データを合成して１ページ分の合成画像データを生成する画像合成部と、前記画像生成部から生成した前記合成画像データを印刷する印刷部を備えることを特徴とする印刷装置である。
【０００７】
また、ページ単位の画像データを作成する画像生成部と、前記画像生成部で作成した前記頁単位の画像データの各ページに対応するページ番号に下地を付加した画像データを生成するページ番号生成部と、前記画像生成部からの前記ページ単位の画像データと前記ページ番号生成部からの前記ページ番号画像データを合成して１ページ分の合成画像データを生成する画像合成部と、前記画像生成部から生成した前記合成画像データを印刷する印刷部を備えることを特徴とする印刷装置である。
【０００８】
また、ページ単位の画像データを作成する画像生成部と、前記画像データの指定領域に対してビデオカウントの計測を行う画像計測部と、前記画像計測部により計測されたビデオカウントが所定値を超えた場合、白文字のページ番号画像を選択し、所定値内の場合、黒文字のページ番号画像を選択してページ番号画像を生成するページ番号生成部と、前記画像生成部からの前記ページ単位の画像データと前記ページ番号生成部からの前記ページ番号画像データを合成して１ページ分の合成画像データを生成する画像合成部と、前記画像生成部から生成した前記合成画像データを印刷する印刷部を備えることを特徴とする印刷装置である。
【０００９】
以上の構成において、本発明は、黒が多い原稿と白が多い原稿が混ざっている原稿にページ番号印字機能を使用した場合においても、ページ印字が見ずらい原稿が生じずに済ませることを可能にする。
【発明の効果】
【００１０】
上記のように、実施例1の構成において、本発明は、黒が多い原稿と白が多い原稿が混ざっている原稿にページ番号印字機能を使用した場合においても、いずれの原稿において見通しが良いページ番号画像を使用することにより、ページ印字が見ずらい原稿が生じずに済ませることが可能になる。
【００１１】
上記のように、実施例2の構成において、本発明は、黒が多い原稿と白が多い原稿が混ざっている原稿にページ番号印字機能を使用した場合においても、ページ毎に自動的にページ番号を選択することによって、ページ印字が見ずらい原稿が生じずに済ませることが可能になる。
【発明を実施するための最良の形態】
【００１２】
（実施例1）
次に、本発明の実施例について図面を参照して説明する。
【００１３】
図2は、本発明および従来の印刷装置の一例であるデジタル複写機の断面図である。
【００１４】
図中、デジタル複写機本体100の上部には、自動原稿送り装置（ＤＦ）280が設けられている。
【００１５】
プラテンガラス201は原稿を載置する台であり、スキャナ202は、原稿照明ランプ203や走査ミラー204等で構成される。不図示のモータによりスキャナ202は所定方向に往復走査される。原稿の反射光は走査ミラー204〜206を介してレンズ207を透過してイメージセンサ部208内のＣＣＤセンサに結像する。露光制御部209は、レーザやポリゴンスキャナ等で構成され、イメージセンサ部208で電気信号に変換され所定の画像処理が施された画像信号に基づいて変調されたレーザ光219を感光体ドラム211に照射する。感光体ドラム211の回りには、1次帯電器212、現像器213、転写帯電器216、前露光ランプ214、クリーニング装置215が装備されている。
【００１６】
画像処理部210において、感光体ドラム211は不図示のモータにより図に示す矢印の方向に回転しており、1次帯電器212により所望の電位に帯電された後、露光制御部209からのレーザ光219が照射され、静電潜像が形成される。感光体ドラム211上に形成された静電潜像は、現像器213により現像されて、トナー像として可視化される。
【００１７】
一方、右カセットデッキ221、左カセットデッキ222、上段カセット223あるいは下段カセット224からピックアップローラ225，226，227，228により給紙された転写紙は、給紙ローラ229，230，231，232により本体に送られ、レジストローラ233により転写ベルトに給送され、可視化されたトナー像が転写帯電器216により転写紙に転写される。転写後の感光体ドラムは、クリーナ装置215により残留トナーが清掃され、前露光ランプ214により残留電荷が消去される。転写後の転写紙は、分離帯電器217によって感光体ドラムから分離され、転写ベルト234によって定着器235に送られる。定着器では加圧、加熱により定着され、排出ローラ236により本体100の外に排出される。
【００１８】
本体100には、例えば4000枚の転写紙を収納し得るデッキ250が装備されている。デッキ250のリフタ251は、ピックアップローラ252に転写紙が常に当接するように転写紙の量に応じて上昇し、転写紙は給紙ローラ253によって本体に送られる。また、100枚の転写紙を収容し得るマルチ手差し254が装備されている。
【００１９】
さらに、排紙フラッパ237は、搬送パス238側と排出パス243側の経路を切り替える。下搬送パス240は、排紙ローラ236から送り出された転写紙を反転パス239を介し、転写紙を裏返して再給紙パス241に導く。左カセットデッキ222から給紙ローラ230により給紙された転写紙も、再給紙パス241に導かれる。再給紙ローラ242は、転写紙を画像処理部210に再給紙する。排出ローラ244は、排紙フラッパ237の近傍に配置されて、この排紙フラッパ237により排出パス243側に切り替えられた転写紙を機外に排出する。両面記録（両面複写）時には、排紙フラッパ237を上方に上げて、複写済みの転写紙を、搬送パス238、反転パス239、下撒送パス240を介して再給紙パス241に導く。このとき、反転ローラ245によって転写紙の後端が搬送パス238から全て抜け出し、且つ、反転ローラ245に転写紙が噛んだ状態の位置まで反転パス239に引き込み、反転ローラ245を逆転させることによって搬送パス240に送り出す。本体から転写紙を反転して排出する時には、排紙フラッパ237を上方へ上げ、反転ローラ245によって転写紙の後端が搬送パス238に残った状態の位置まで反転パス239に引き込み、反転ローラ245を逆転させることによって、転写紙を裏返して排出ローラ244側に送り出す。
【００２０】
排紙処理装置290は、デジタル複写機100から一枚ごとに排出される転写紙を処理トレイ294に積載してそろえる。一部の画像形成の排出が終了したら、転写紙束をステイプルして排紙トレイ292又は293に束で排出する。排紙トレイ293は不図示のモータで上下に移動制御され、画像処理動作開始前に処理トレイの位置になるように移動する。用紙トレイ291には、排出された転写紙の間に挿入する区切り紙が積載される。Ｚ折り機295は、排出された転写紙をＺ折りにする。また、製本機296は、排出された転写紙一部をまとめてセンター折りしステイプルを行なうことによって製本を行なう。製本された紙束は排出トレイ297に排出される。
【００２１】
次に本発明の実施例1を適応した印刷装置を説明する。
【００２２】
図1は、本発明の請求項1、2を適用した印刷装置のデータフローを示した図である。
【００２３】
画像生成部102は、スキャナ202から入力されたデータ、もしくは、外部から受信した印刷データからページ単位の画像データ103を生成する。このとき、ページ番号画像生成部104は、ページ毎にそのページに対応するページ番号画像データ105を生成する。画像合成部106は、画像生成部102が生成した画像データ103とページ番号画像生成部104から送られてきたページ番号画像データ105とを合成して１ページ分の合成画像データ107を作成する。印刷部108は、画像合成部106が生成した合成画像データ107を印刷用紙に印刷する。
【００２４】
図3は、本発明の請求項1、2を適用したページ番号画像を示した図である。
【００２５】
ページ番号画像生成部104は、縁取りページ番号画像301、302および、下地付きページ番号画像303、304を生成する。305は、縁取りページ番号画像301の一部を拡大した図である。これらは印刷する前に、どのページ番号画像を使用するかをあらかじめ設定されている。
【００２６】
上記のように、以上の構成において、本発明は、黒が多い原稿と白が多い原稿が混ざっている原稿にページ番号印字機能を使用した場合においても、いずれの原稿において見通しが良いページ番号画像を使用することにより、ページ印字が見ずらい原稿が生じずに済ませることが可能になる。
【００２７】
（実施例2）
上記の実施例1では、ページ番号として使用する画像はあらかじめ設定されていたが、本発明では、原稿の状態により自動的にページ番号画像を設定することもできる。
【００２８】
次に本発明の実施例2を適応した印刷装置を説明する。
【００２９】
図4は、本発明の請求項3を適用した印刷装置のデータフローを示した図である。
【００３０】
画像生成部402は、スキャナ202から入力されたデータ、もしくは、外部から受信した印刷データからページ単位の画像データ403を生成する。このとき、画像計測部404は、画像データ403から、あらかじめ設定されているページ番号の印刷用紙上の印刷領域に対して、ビデオカウントを計測する。ページ番号画像生成部405は、ページ毎にそのページに対応するページ番号画像データ406を生成する。このとき、画像計測部404で計測したビデオカウントが所定値以上の場合は白文字のページ番号画像データ601を、所定値内の場合は黒文字のページ番号画像データ602を選択する。画像合成部407は、画像生成部402が生成した画像データ403とページ番号画像生成部405から送られてきたページ番号画像データ406とを合成して１ページ分の合成画像データ408を作成する。印刷部409は、画像合成部407が生成した合成画像データ408を印刷用紙に印刷する。
【００３１】
図5は、本発明の請求項3を適用した印刷装置のビデオカウント方法を示した図である。入力されたビットマップ画像に対して、ビット毎の階調を加算したものをビデオカウント値として計測する。多色の場合は、黒色のみを対象とする。
上記のように、以上の構成において、本発明は、黒が多い原稿と白が多い原稿が混ざっている原稿にページ番号印字機能を使用した場合においても、ページ毎に自動的にページ番号を選択することによって、ページ印字が見ずらい原稿が生じずに済ませることが可能になる。
【図面の簡単な説明】
【００３２】
【図１】本発明の請求項1〜3を適用した印刷装置のデータフローを示した図である。
【図２】従来および本発明を適用したデジタル複写機を示した図である。
【図３】本発明の請求項1〜3を適用したページ番号画像を示した図である。
【図４】本発明の請求項4を適用した印刷装置のデータフローを示した図である。
【図５】本発明の請求項4を適用した印刷装置のビデオカウント方法を示した図である。
【符号の説明】
【００３３】
100  デジタル複写機本体
201  プラテンガラス
202  スキャナ
203  原稿照明ランプ
204〜206  走査ミラー
207  レンズ
208  イメージセンサ部
209  露光制御部
210  画像処理部
211  感光体ドラム
212  1次帯電器
213  現像器
214  前露光ランプ
215  クリーニング装置
216  転写帯電器
217  分離帯電器
219  レーザ光
221  右カセットデッキ
222  左カセットデッキ
223  上段カセット
224  下段カセット
225，226，227，228  ピックアップローラ
229，230，231，232  給紙ローラ
233  レジストローラ
234  転写ベルト
235  定着器
236  排紙ローラ
237  排紙フラッパ
238  搬送パス
239  反転パス
240  搬送パス
241  再給紙パス
242  再給紙ローラ
243  排出パス
244  排出ローラ
245  反転ローラ
250  デッキ
251  リフタ
252  ピックアップローラ
253  給紙ローラ
254  マルチ手差し
280  自動原稿送り装置（ＤＦ）
290  排紙処理装置
291  用紙トレイ
292、293  排紙トレイ
294  処理トレイ
295  Ｚ折り機
296  製本機
297  排出トレイ
【図１】
2007074542.tif 000003
【図２】
2007074542.tif 000004
【図３】
2007074542.tif 000005
【図４】
2007074542.tif 000006
【図５】
2007074542.tif 000007